(57)【要約】【課題】今までにない不規則な動きで転がるようにして、出目を出す際の動きに面白みがあり、更には形状にデザイン的な付加価値を付すことができ、表示部の数も任意に設定できる采具を提供する。【解決手段】采具１は、球状の中空体１０と、内部に収容してある錘体１１を備えている。錘体１１は、中空体１０内の真下に位置した状態で中空体１０が停止できる重量を備えている。中空体１０の表面には、出目となる数字が付された表示部１０２が設けてある。中空体１０の内面には、錘体１１が停止可能な停止部１０１が形成してある。停止部１０１は、中空体１０の中心を通る直線上にあって相対するように設けてある。表示部１０２は、停止部１０１が形成された位置と対応させて設けてある。こうして中空体１０の中心を通る直線上にある停止部１０１と表示部１０２とが相対させてある。【選択図】　　　　図１
2004081359.tif 000002
【特許請求の範囲】
【請求項１】
外面が球状に形成された中空体の内面に複数の錘停止手段が設けてあり、当該中空体の内部には移動可能でかつ上記錘停止手段によって停止可能な錘が収容してあり、当該中空体の外面には、各錘停止手段と対または対応する表示部が当該錘停止手段と同数設けられ、上記表示部は対または対応する錘停止手段に錘が停止して当該錘停止手段が真下に位置したときに真上に位置するように設けられていることを特徴とする、
采具。
【請求項２】
外面が曲面を含んで構成された中空体の内面に複数の錘停止手段が設けてあり、当該中空体の内部には移動可能でかつ上記錘停止手段によって停止可能な錘が収容してあり、当該中空体の外面には、各錘停止手段と対または対応する表示部が当該錘停止手段と同数設けられ、上記表示部は対または対応する錘停止手段に錘が停止して当該錘停止手段が真下に位置したときに真上に位置するように設けられていることを特徴とする、
采具。
【請求項３】
支持部材によって回転可能に支持され、内面には複数の錘停止手段が設けてある中空体を備え、当該中空体の内部には移動可能でかつ上記錘停止手段によって停止可能な錘が収容してあり、当該中空体の外面には、各錘停止手段と対または対応する表示部が当該錘停止手段と同数設けられ、上記表示部は対または対応する錘停止手段に錘が停止して当該錘停止手段が真下に位置したときに真上または支持部材に設けられた指向部が指し示す箇所に位置するように設けられていることを特徴とする、
采具。
【請求項４】
内部が透視可能な中空体の内面に複数の錘停止手段が設けてあり、当該中空体の内部には移動可能でかつ上記錘停止手段によって停止可能な錘が収容してあり、当該中空体の外面には、各錘停止手段と対または対応する表示部が設けられ、上記表示部は対または対応する錘停止手段に錘が停止したときに透視される当該錘と重なるように設けられていることを特徴とする、
采具。
【請求項５】
支持部材によって回転可能に支持され、内面には複数の錘停止手段が設けてある内部が透視可能な中空体を備え、当該中空体の内部には移動可能でかつ上記錘停止手段によって停止可能な錘が収容してあり、当該中空体の外面には、各錘停止手段と対または対応する表示部が設けられ、上記表示部は対または対応する錘停止手段に錘が停止したときに透視される当該錘と重なるように設けられていることを特徴とする、
采具。
【請求項６】
錘が球体であり、錘停止手段は当該錘が停止可能な凹形状を有していることを特徴とする、
請求項１，２，３，４または５記載の采具。
【発明の詳細な説明】
【０００１】
【発明の属する技術分野】
本発明は采具にかかり、更に詳しくは、今までにない不規則な動きで転がるようにして、出目を出す際の動きに面白みを備えるようにしたものに関する。また、形状も采具としては今までにないような形態のものができ、更に出目を表す表示部の数が任意に設定できるようにしたもの関する。
【０００２】
【従来技術】
例えば双六等では、数を無作為に出す道具として采具（賽子）が使用される。采具は、六面を有する立方体形状であり、相対する面の点の数の和が「７」になるようにした形態のものが一般的である。また他の形態の采具としては、四面体や十二面体等の正多面体からなるものが知られている（例えば、実開平１−１３０７８９号や実開平５−２４０８９号）。
【０００３】
采具は、転がって停止し、上面となる面に付された点の数等を出目とするので、一般的に上面となる面と、この面と相対する面とが互いに平行になるようつくられている。つまり、従来からある采具は正多面体のものであった。
【０００４】
【発明が解決しようとする課題】
しかし、上記した従来の采具には、次のような課題があった。
▲１▼従来の采具は多面体であったので転がしても直ぐに止まってしまい、しかも中実体で形成されていたので、その際の動きも単調であった。つまり、従来の采具は出目を出す際の動きに面白みがなかった。
【０００５】
▲２▼従来の采具は、上記したように正多面体を使用するものであったので、形状がありふれたものに限定されてしまっており、デザイン的な付加価値を付すことが困難であった。
【０００６】
▲３▼形状が限定されることで、必然的に点を付する面の数も決まってしまっていた。具体的にいえば、正多面体としては、正四面体、正六面体、正八面体、正十二面体等があり、これらを采具に用いた場合では、面の数が４、６、８、１２のものしかつくることができず、面が上記した数以外のものをつくることはできなかった。
【０００７】
本発明の目的は、今までにない不規則な動きで転がるようにして出目を出す際の動きに面白みを有する采具を提供することにある。
また、本発明の他の目的は、形状も今までにないような形態のものができるようにして、更に出目を表す表示部の数が任意に設定できる采具を提供することにある。
【０００８】
【課題を解決するための手段】
上記目的を達成するために講じた本発明の手段は次のとおりである。
第１の発明にあっては、
外面が球状に形成された中空体の内面に複数の錘停止手段が設けてあり、当該中空体の内部には移動可能でかつ上記錘停止手段によって停止可能な錘が収容してあり、当該中空体の外面には、各錘停止手段と対または対応する表示部が当該錘停止手段と同数設けられ、上記表示部は対または対応する錘停止手段に錘が停止して当該錘停止手段が真下に位置したときに真上に位置するように設けられていることを特徴とする、
采具である。
【０００９】
第２の発明にあっては、
外面が曲面を含んで構成された中空体の内面に複数の錘停止手段が設けてあり、当該中空体の内部には移動可能でかつ上記錘停止手段によって停止可能な錘が収容してあり、当該中空体の外面には、各錘停止手段と対または対応する表示部が当該錘停止手段と同数設けられ、上記表示部は対または対応する錘停止手段に錘が停止して当該錘停止手段が真下に位置したときに真上に位置するように設けられていることを特徴とする、
采具である。
【００１０】
第３の発明にあっては、
支持部材によって回転可能に支持され、内面には複数の錘停止手段が設けてある中空体を備え、当該中空体の内部には移動可能でかつ上記錘停止手段によって停止可能な錘が収容してあり、当該中空体の外面には、各錘停止手段と対または対応する表示部が当該錘停止手段と同数設けられ、上記表示部は対または対応する錘停止手段に錘が停止して当該錘停止手段が真下に位置したときに真上または支持部材に設けられた指向部が指し示す箇所に位置するように設けられていることを特徴とする、
采具である。
【００１１】
第４の発明にあっては、
内部が透視可能な中空体の内面に複数の錘停止手段が設けてあり、当該中空体の内部には移動可能でかつ上記錘停止手段によって停止可能な錘が収容してあり、当該中空体の外面には、各錘停止手段と対または対応する表示部が設けられ、上記表示部は対または対応する錘停止手段に錘が停止したときに透視される当該錘と重なるように設けられていることを特徴とする、
采具である。
【００１２】
第５の発明にあっては、
支持部材によって回転可能に支持され、内面には複数の錘停止手段が設けてある内部が透視可能な中空体を備え、当該中空体の内部には移動可能でかつ上記錘停止手段によって停止可能な錘が収容してあり、当該中空体の外面には、各錘停止手段と対または対応する表示部が設けられ、上記表示部は対または対応する錘停止手段に錘が停止したときに透視される当該錘と重なるように設けられていることを特徴とする、
采具である。
【００１３】
第６の発明にあっては、
錘が球体であり、錘停止手段は当該錘が停止可能な凹形状を有していることを特徴とする、
第１，第２，第３，第４または第５の発明に係る采具である。
【００１４】
本発明に係る采具において「表示部」に表示されるものとしては、例えば、数字、文字、記号、図柄、色彩、模様またはこれらを組み合わせたもの等を挙げることができるが、これに限定するものではない。
【００１５】
中空体を構成する外面（曲面を含む）の表面形状は、特に限定するものではない。例えば、細かい凹部や凸部を多数備えた形状にすることもできるし、網目状にすることもできる。
【００１６】
「指向部」は、所定の方向を指し示すものであり、例えば、矢印状の形態を有するもの等がある。
【００１７】
（作　用）
本発明に係る采具は、中空体を転がしたり回転させたりして使用する。中空体の動きが弱まると、内部に収容された錘が重力により所要の錘停止手段に停止し、これが錘になって中空体は回転が止まる。このとき錘が停止した錘停止手段が真下に位置し、この錘停止手段と対または対応する表示部が真上や指向部が指し示す箇所に位置するようにしてあるものは、この位置の表示部に設けられた数字等が出目となる。また、錘が錘停止手段に停止したときに、透視して見えた錘と重なるように表示部が設けてあるものは、この表示部に設けられた数字等が出目となる。
【００１８】
中空体が転がっているときや回転しているときは、錘も内部で錘停止手段間を移動しながら転がっているので、中空体の動きは錘の慣性の影響を受けている状態にある。従って、本発明に係る采具は動きがスムーズでなく、起上り小法師にも似た予想できない動きで不規則に転がったり回転したりする。このような動きは今までの采具になく、本発明に係る采具は動きに面白みがある。
【００１９】
請求項４で示す采具は、例えば中空体を掴んだまま回し、中空体の動きにより錘を内部で移動させて使用することもできる。この場合では、中空体は停止したままにしておき、錘は動きが弱まることで所要の錘停止手段に停止する。そしてこのとき透視して見えた錘と重なる表示部に設けられた数字等が出目となる。
【００２０】
【発明の実施の形態】
本発明の実施の形態を図面に基づき更に詳細に説明する。
図１は本発明に係る采具の第１の実施の形態を示す正面図、
図２は図１に示す采具の斜視図、
図３は図１のＡ−Ａ断面図、
図４は図１のＢ−Ｂ断面図である。
符号１は采具を示している。采具１は、外形状（外面）が球状に形成してある中空体１０と、中空体１０の内部に移動可能に収容してある球状の錘体１１を備えている。
中空体１０は、不透明な合成樹脂で形成してあり、内部が見えないようになっている。また、中空体１０に収容してある錘体１１は、中実の合成樹脂で形成してあり、采具１を平らな所に置いたときに、中空体１０内の真下に位置して、中空体１０を停止させることができるだけの十分な重量を備えている。
【００２１】
中空体１０の表面（外面）の所要位置には表示部１０２が設けてある。各表示部１０２には出目となる数字が設けてある。表示部１０２の位置については後述する。
【００２２】
中空体１０の内面には、形成する厚みを適宜変えることにより、錘体１１が停止可能な錘停止手段である停止部１０１が複数箇所に形成してある。各停止部１０１は、錘体１１よりも半径が大きく、錘体１１が隙間を以て嵌るような略半球凹形状に形成されている。停止部１０１は、中空体１０の中心を通る直線上にあって相対するように設けてある。
【００２３】
本実施の形態において停止部１０１は、中空体１０の中心を通る直径方向の三本の線が、縦方向、横方向、奥行方向に直交して示す部分（具体的にいえば全部で六箇所）と、前記各線の一端が示す部分に形成された停止部１０１のうち隣り合う停止部１０１で囲まれた略中央部（具体的にいえば全部で八箇所）に形成してある。なお、隣り合う停止部１０１の間には相対的に凸部が形成されている。この凸部上で錘体１１は止まらない。
【００２４】
中空体１０の表示部１０２は、停止部１０１が形成された位置と表裏の関係となる位置に、この停止部１０１と同じ数だけ設けてある。即ち、中空体１０の中心を通る直線上にある停止部１０１と表示部１０２とが相対し、対となるようにしてある。
各表示部１０２には、数字が重複しないように設けてある。表示部１０２に付す数字の数は特に限定するものではないが、本実施の形態で示す表示部１０２には、停止部１０１と対応する、具体的に「１」から「１４」までの数字が、相対する表示部１０２の数の和が「１５」になるよう設けてある。
【００２５】
（作　用）
図１ないし図４を参照して本実施の形態で示す采具１の作用を説明する。
采具１は、平らな所で中空体１０を転がして使用する。中空体１０を転がすことにより、錘体１１も中空体１０の内部で、停止部１０１間の凸部を乗り越えながら転がる。そうして中空体１０の回転が弱まって止まりかけ、錘体１１が重力により所要の停止部１０１で停止することにより、錘体１１が錘となって中空体１０は回転が止まる。このとき錘体１１が停止した停止部１０１は真下に位置しており、この停止部１０１と対となる表示部１０２が真上に位置した状態となる。采具１では、この真上に位置した表示部１０２に設けられた数字が出目となる。
【００２６】
中空体１０が回転する際は、錘体１１も内部で停止部１０１間の凸部を乗り越えながら転がっているので、中空体１０の動きは錘体１１の慣性の影響を受けている状態にある。従って、采具１は動きがスムーズでなく、起上り小法師にも似た予想できない動きで不規則に回転する。このような動きは今までの采具になく、采具１は動きに面白みがある。
【００２７】
このように采具１は、中空体１０を備え、その内部に錘体１１を収容した構成を有し、錘体１１で中空体１０を停止させることができるようにしたことにより、外面が多面体でなく、曲面を有する形態にできる。つまり、采具としては今までにない斬新な形状を有するものができ、デザイン的な付加価値を備えた采具が形成できる。
【００２８】
本実施の形態で示す采具１は、表示部１０２を複数箇所に、具体的には１４箇所に設けたものを示したが、采具に設ける表示部の数は特に限定するものではない（以下に示す采具１ａ、１ｂ、１ｃについても同様である）。また、表示部は、停止部が形成された位置と表裏の関係となる位置に設けたが、これも限定するものではなく、表示部は、対となる停止部に錘体が停止して、この停止部が真下に位置したときに真上に位置するような位置に設けられていれば良い。つまり采具は、表示部の数を奇数個にもでき、任意に設定することが可能である。
【００２９】
図５は本発明に係る采具の第２の実施の形態を示す斜視説明図である。
采具１ａは、外形状（外面）が両端部を閉塞した円筒形状に形成してある中空体１０ａを備えている。中空体１０ａは、不透明な合成樹脂で形成してあり、内部が見えないようになっている。
中空体１０ａの表面（外面）には、周方向に等間隔で区切って表示部１０２ａが複数箇所に、具体的には８箇所に設けてある。各表示部１０２ａには出目となる数字が設けてある。
【００３０】
中空体１０ａの内周面には、等間隔で複数箇所に、具体的には８箇所に凸条片１０３ａが軸方向の全長にわたり設けてある。凸条片１０３ａは角棒形状を有している。凸条片１０３ａで挟まれた間は、錘体１１が停止可能な錘停止手段である停止部１０１ａである。停止部１０１ａは、中空体１０ａの軸線方向に伸びる中心線と直交する直線上にあって相対するように設けてある。
【００３１】
表示部１０２ａは、停止部１０１ａが形成された位置と表裏の関係となる位置に、この停止部１０１ａと同じ数だけ設けてある。こうして中空体１０ａの軸線方向に伸びる中心線と直交する直線上にある停止部１０１ａと表示部１０２ａとが相対し、対となるようにしてある。
各表示部１０２ａには、数字が重複しないように設けてある。本実施の形態で示す表示部１０２ａには、停止部１０１ａと対応する、具体的に「１」から「８」までの数字が設けてある。
【００３２】
（作　用）
図５を参照して、本実施の形態で示す采具の作用を説明する。
なお、上記した采具１と共通する構成により生じる同様の作用、効果については説明を省略し、相違する点についてのみ説明する。
采具１ａは、平らな所で中空体１０ａを転がして使用する。中空体１０ａを転がすことにより、錘体１１も中空体１０ａの内部で、停止部１０１ａ間の凸部を乗り越えながら転がる。そうして中空体１０ａの回転が弱まって止まりかけ、錘体１１が重力により所要の停止部１０１ａで停止することにより、錘体１１が錘となって中空体１０ａは回転が止まる。このとき錘体１１が停止した停止部１０１ａは真下に位置しており、この停止部１０１ａと対となる表示部１０２ａが真上に位置した状態となる。采具１ａでは、この真上に位置した表示部１０２ａに設けられた数字が出目となる。
【００３３】
本実施の形態で示す中空体１０ａにて表示部１０２ａは、表面を周方向に等間隔で区切り、図で示すように区切られた部分の軸線方向の全長にわたって一つの表示部が設けられるようにしたが、これは限定するものではなく、表示部は、例えば、軸線方向に複数箇所に並べて設けることもできるし、更に、隣接して並べたものを周方向にずらして設けることもできる。なお、表示部をこのように設けた場合では、対となる停止部も対応するように設ける必要がある。
【００３４】
また、停止部１０１ａを形成する凸条片１０３ａは、中空体１０ａと別体であるものを使用したが、これも限定するものではなく、例えば、中空体１０ａと一体にして形成することもできる。また、形状も特に限定するものではなく、例えば、停止部と連続する滑らかな凸形状を有するようにすることもできる。更に、停止部１０１ａの形状も特に限定するものではなく、上記采具１で示すような略半球凹形状に形成することもできる。
【００３５】
図６は本発明に係る采具の第３の実施の形態を示す斜視説明図である。
采具１ｂは、外形状（外面）が球状に形成してある中空体１０ｂと、中空体１０ｂを所定方向に回転可能に支持する支持部材３を備えている。中空体１０ｂは、不透明な合成樹脂で形成してあり、内部が見えないようになっている。
中空体１０ｂの表面（外面）において、この中空体１０ｂの中心を通る回転中心軸線と直交する平面が交わる部分には、表示部１０２ｂが複数箇所に、具体的には８箇所に設けてある。各表示部１０２ｂには出目となる数字が設けてある。
【００３６】
中空体１０ｂの内面には、形成する厚みを適宜変えることにより、錘体１１が停止可能な錘停止手段である停止部１０１ｂが複数箇所に、具体的には８箇所に形成してある。各停止部１０１ｂは、錘体１１よりも半径が大きく、錘体１１が隙間を以て嵌るような略半球凹形状に形成されている。停止部１０１ｂは、中空体１０ｂの中心を通る回転中心軸線と直交する平面が交わる部分に、上記回転中心軸線を直交する直線上にあって相対するように設けてある。
【００３７】
中空体１０ｂの表示部１０２ｂは、停止部１０１ｂが形成された位置と表裏の関係となる位置に、この停止部１０１ｂと同じ数設けてある。こうして中空体１０ｂの回転中心軸線を直交する直線上にある停止部１０１ｂと表示部１０２ｂとが相対し、対となるようにしてある。
表示部１０２ｂには、数字が重複しないように設けてある。本実施の形態で示す表示部１０２ｂには、停止部１０１ｂと対応する、具体的に「１」から「８」までの数字が設けてある。
【００３８】
支持部材３は、略長方形状を有する板体で形成された設置部材３０と、設置部材３０の両端側より立設してあり、先端側が水平な状態で向かい合うように略「Ｌ」字形状に形成された軸部材３１，３１を備えている。一方の軸部材３１の柱部には、水平方向に延出して先端が矢印形状を有する指向部材３２が取り付けられている。指向部材３２は、先端が所要の高さの位置にある任意の表示部１０２ｂを指し示すように設けてある。支持部材３は合成樹脂で形成したものを使用したが、これは限定するものではなく、例えば、金属、木材で形成したものを使用することもできる。
【００３９】
中空体１０ｂは、中心を通る回転中心軸線が交わる表面がやや凹ませて形成してある。中空体１０ｂは、前記凹ませた箇所のそれぞれに軸部材３１，３１の先端側を当てて、表示部１０２ｂが縦方向に回転するように軸支された状態で、支持部材３に取り付けてある。
【００４０】
（作　用）
図６を参照して、本実施の形態で示す采具の作用を説明する。
なお、上記した采具１や采具１ａと共通する構成により生じる同様の作用、効果については説明を省略し、相違する点についてのみ説明する。
采具１ｂは、軸部材３１，３１で軸支された中空体１０ｂを表示部１０２ｂが縦方向に回転するように回して使用する。中空体１０ｂを回すことにより、錘体１１も中空体１０ｂの内部で、停止部１０１ｂ間の凸部を乗り越えながら転がる。そうして中空体１０ｂの回転が弱まって止まりかけ、錘体１１が重力により所要の停止部１０１ｂで停止することにより、錘体１１が錘となって中空体１０ｂは回転が止まる。このとき錘体１１が停止した停止部１０１ｂは真下に位置しており、指向部材３２の先端が指し示す箇所には任意の表示部１０２ｂが位置した状態となる。采具１ｂでは、この指向部材３２が指し示す表示部１０２ｂに設けられた数字が出目となる。
【００４１】
なお、本実施の形態で中空体１０ｂは、外形状（外面）が球状を有するものを示したが、これは限定するものではなく、支持部材３１，３１で回転可能に支持できれば、例えば、両端部を閉塞した円筒形状、輻の付いたリング（環）状のものも使用可能である。
【００４２】
上記実施の形態で示す中空体１０，１０ａ、１０ｂは、不透明な合成樹脂で形成して内部が見えないようにしたものを使用したが、これは限定するものではなく、例えば、内部が見える透視性を有する材料で形成することもできる。
【００４３】
図７は本発明に係る采具の第４の実施の形態を示す斜視説明図、
図８は図７に示す采具を中心位置から垂直方向に断面した状態を示す断面説明図、
図９は図７に示す采具を水平方向に断面した状態の一部を示す断面説明図である。
采具１ｃは、外形状（外面）が浮き輪状（環状、リング状）に形成してある中空体１０ｃを備えている。中空体１０ｃは、透明な合成樹脂で形成してあり、内部が透視可能になっている。
中空体１０ｃの表面（外面）には、周方向に等間隔で区切って表示部１０２ｃが複数箇所に、具体的には１２箇所に設けてある。各表示部１０２ｃには出目となる数字が設けてある。
【００４４】
中空体１０ｃの内面には、形成する厚みを適宜変えることにより、錘体１１が停止可能な錘停止手段である停止部１０１ｃが複数箇所に、具体的には１２箇所に形成してある。各停止部１０１ｃは、中空体１０ｃの周方向に全周にわたり設けてある。
【００４５】
中空体１０ｃの表示部１０２ｃは、停止部１０１ｃが形成された位置と表裏の関係となる位置に、この停止部１０１ｃと同じ数だけ設けてある。
表示部１０２ｃには、数字が重複しないように設けてある。本実施の形態で示す表示部１０２ｃには、停止部１０１ｃと対応する、具体的に「１」から「１２」までの数字が設けてある。なお、隣り合う停止部１０１ｃの間には相対的に凸部が形成されている。この凸部上で錘体１１は止まらない。また、この凸部は、錘体１１が停止部１０１ｃ間を通過する際に支障をきたさないよう形成されている（図９参照）。
【００４６】
（作　用）
図７ないし図９を参照して、本実施の形態で示す采具の作用を説明する。
なお、上記した采具１、１ａ、１ｂと共通する構成により生じる同様の作用、効果については説明を省略し、相違する点についてのみ説明する。
采具１ｃは、平らな所で中空体１０ｃを転がしたり、中空体１０ｃを掴んだまま回し、中空体１０ｃの動きによる遠心力により錘体１１を内部で回したりして使用する。このようにして錘体１１を中空体１０ａの内部で転がすことにより、錘体１１は各表示部１０２ｃに対応するように設けられた停止部１０１ｃ間の凸部を乗り越えながら移動する。そうして錘体１１は動きが弱まることで最終的に所要の停止部１０１ｃで停止する。このとき錘体１１が停止した停止部１０１ｃには、対応して表示部１０２ｃが設けられている。つまり、表示部１０２ｃは、停止部１０１ｃで停止した錘体１１と重なるように設けられている。従って、采具１ｃでは、中空体１０ｃが透明な材料で形成されており、錘体１１が外部から透視可能であるので、錘体１１が停止した停止部１０１ｃと対応して設けてある表示部１０２ｃに設けられた数字が出目となる。
【００４７】
なお、本実施の形態で示す中空体１０ｃは、透明な合成樹脂で形成したものを使用したが、これは限定するものではなく、中空体は錘体が外部から透視できる透視性を備えていれば良く、例えば、半透明のものや、所要位置に穴（網状のものも含む）を設けたもの等を使用することもできる。
【００４８】
上記した実施の形態において、中空体や錘体を形成する材料は、特に限定するものではなく、機能的上支障なければ、例えば、ゴム、金属、木材で形成したもの等を使用することができる。更に、中空体や錘体は、弾性を有するもので形成することもできる。更にまた、錘体は中空体を使用することもできる。
【００４９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００５０】
【発明の効果】
本発明は上記構成を備え、次の効果を有する。
（ａ）本発明に係る采具は、転がっているときや回転しているときにおいて、錘も中空体の内部で錘停止手段間を移動しながら転がっているので、中空体の動きは錘の慣性の影響を受けている状態にある。従って、本発明に係る采具は動きがスムーズでなく、起上り小法師にも似た予想できない動きで不規則に転がったり回転したりする。このような動きは今までの采具になく、本発明に係る采具は動きに面白みがある。
【００５１】
（ｂ）本発明に係る采具は、中空体を備え、その内部に錘を収容した構成を有し、錘で中空体を停止させて錘が停止した錘停止手段と対または対応する表示部に設けられた数字等を出目にしたり、錘停止手段に停止した錘と重なる表示部に設けられた数字等を出目にしたりしている。このため本発明に係る采具は、外面が従来のもののような多面体でなく、曲面を有する形態にできる。また、これにより表示部の数も任意に設定することが可能である。つまり、本発明に係る采具は、今までにない斬新な形状を有するものができ、デザイン的な付加価値を備えた采具が形成できる。
【図面の簡単な説明】
【図１】本発明に係る采具の第１の実施の形態を示す正面図。
【図２】図１に示す采具の斜視図。
【図３】図１のＡ−Ａ断面図。
【図４】図１のＢ−Ｂ断面図。
【図５】本発明に係る采具の第２の実施の形態を示す斜視説明図。
【図６】本発明に係る采具の第３の実施の形態を示す斜視説明図。
【図７】本発明に係る采具の第４の実施の形態を示す斜視説明図。
【図８】図７に示す采具を中心位置から垂直方向に断面した状態を示す断面説明図。
【図９】図７に示す采具を水平方向に断面した状態の一部を示す断面説明図。
【符号の説明】
１，１ａ，１ｂ，１ｃ　采具
１０，１０ａ，１０ｂ，１０ｃ　中空体
１０１，１０１ａ，１０１ｂ，１０１ｃ　停止部
１０２，１０２ａ，１０２ｂ，１０２ｃ　表示部
１０３ａ　凸条片
１１　錘体
３　支持部材
３０　設置部材
３１　軸部材
３２　指向部材
【図１】
2004081359.tif 000003
【図２】
2004081359.tif 000004
【図３】
2004081359.tif 000005
【図４】
2004081359.tif 000006
【図５】
2004081359.tif 000007
【図６】
2004081359.tif 000008
【図７】
2004081359.tif 000009
【図８】
2004081359.tif 000010
【図９】
2004081359.tif 000011